(57)【特許請求の範囲】
【請求項１】
上面部を備える筐体と、
前記筐体内に配設され、シートに画像を形成する画像形成部と、
第１の壁と、前記第１の壁とは反対側の第２の壁と、前記第１の壁と前記第２の壁とを連設させる底面と、原稿が載置される原稿台と、を有し、前記筐体の前記上面部に装着され、前記原稿の原稿画像を読み取る画像読取部と、
前記画像読取部の前記底面、または、前記筐体の前記上面部に配設され、前記第１の壁に沿う方向に延設される回転軸を備えた軸部と、
前記画像読取部の前記底面、または、前記筐体の前記上面部のうち、前記軸部とは異なる方に配設され、前記軸部が挿入され、前記画像読取部が、前記筐体の前記上面部に対して、回動可能とされるように、前記軸部を支持する軸受け部と、
前記軸部または前記軸受け部よりも、前記第２の壁に近い側の前記筐体の前記上面部に配置され、前記画像読取部の前記底面に対向して配置される被当接部と、
前記軸部または前記軸受け部よりも、前記第２の壁に近い側の前記画像読取部の前記底面に配置され、前記画像読取部の自重によって、前記被当接部に当接する当接部と、
前記軸部または前記軸受け部よりも、前記第２の壁に近い側の前記画像読取部の前記底面から、前記筐体の前記上面部に向かって突設され、前記底面に沿う方向に貫通して形成される第１孔部を備える第１突部と、
前記軸部または前記軸受け部よりも、前記第２の壁に近い側の前記筐体の前記上面部から、前記画像読取部の前記底面に向かって突設され、前記第１突部と対向して配置され、前記底面に沿う方向に貫通され、前記第１孔部に対向して形成される第２孔部を備える第２突部と、
前記軸部または前記軸受け部よりも、前記第２の壁に近い側の前記画像読取部の前記底面から、前記筐体の前記上面部に向かって突設され、前記第１突部との間で前記第２突部を挟むように、前記第１突部と間隔をおいて配置され、前記底面に沿う方向に貫通され、前記第２孔部に対向して形成される第３孔部を備える第３突部と、
円柱形状を備え、上下方向における前記第１孔部および前記第２孔部および前記第３孔部の内径よりも小さな外径を備え、前記当接部が前記被当接部に当接した状態で、前記第１孔部および前記第２孔部および前記第３孔部に挿通され、前記画像読取部を前記筐体に固定する固定ピンと、を有することを特徴とする画像形成装置。
【請求項２】
前記軸部は、前記底面または前記上面部の前記第１の壁に沿う方向の一端側に配置され、前記回転軸を備える第１軸部と、前記底面または前記上面部の前記方向の他端側に配置され、前記回転軸を備える第２軸部と、を有し、
前記軸受け部は、前記第１軸部が挿入される第１軸受け部と、前記第２軸部が挿入される第２軸受け部と、を有することを特徴とする請求項１に記載の画像形成装置。
【請求項３】
前記被当接部は、前記筐体の前記上面部の前記第１の壁に沿う方向の一端側に配置される第１被当接部と、前記筐体の前記上面部の前記方向の他端側に配置される第２被当接部と、を有し、
前記当接部は、前記画像読取部の前記底面の前記方向の一端側に配置され、前記第１被当接部に当接する第１当接部と、前記画像読取部の前記底面の前記方向の他端側に配置され、前記第２被当接部に当接する第２当接部と、を有することを特徴とする請求項２に記載の画像形成装置。
【請求項４】
前記画像読取部の前記底面に対向し、前記筐体の前記上面部に配置され、前記画像形成部において画像が形成されたシートが、前記第１の壁から前記第２の壁に向かう方向に排出される排紙部を、更に有することを特徴とする請求項１乃至３の何れか１項に記載の画像形成装置。
【請求項５】
前記軸部は、円柱形状からなり、前記回転軸の軸方向に沿って、かつ、前記画像読取部の前記底面と対向する面によって、周面の一部が切り込まれた切り込み部を有し、
前記軸受け部は、円筒形状からなり、前記軸部の前記軸方向と直交する断面視で、前記切り込み部によって形成される前記軸部の最小外径部に対応して、上下方向に切り欠かれ、かつ、前記軸部の前記軸方向に沿って配設された切り欠き部を有し、
前記切り込み部が前記切り欠き部を通過して、前記軸部が前記軸受け部に嵌合することで、前記画像読取部が、前記筐体に装着されることを特徴とする請求項１乃至４の何れか１項に記載の画像形成装置。
【請求項６】
前記当接部が前記被当接部に当接した状態において、前記第１孔部および前記第２孔部と、前記固定ピンとが、すきま嵌めとなるように、前記第１孔部および前記第２孔部の内径と、前記固定ピンの外径とが設定されていることを特徴とする請求項１乃至５の何れか１項に記載の画像形成装置。
【発明の詳細な説明】
【技術分野】
【０００１】
本発明は、シートに画像形成処理を施す画像形成装置に関する。
【背景技術】
【０００２】
コピー機、複合機やプリンタなどの画像形成装置には、光源から原稿に光を照射し、その反射光を画像読取センサーにより光電変換して、画像データを電気信号として出力する画像読取部が設置されている。画像読取部は、原稿が載置される原稿台を備える。原稿台は、透明ガラスなどによって構成され、原稿台上に載置された原稿の画像が、原稿台を通して、画像読取センサーによって、読み取られる。特許文献１に記載された技術では、画像形成装置本体には、画像読取部とともに、原稿の画像に応じて、シートにトナー画像を形成する画像形成部が配設される。そして、画像読取部は、画像形成部の上方に装着される。
【先行技術文献】
【特許文献】
【０００３】
【特許文献１】特開２００９−３１７３０号公報
【発明の概要】
【発明が解決しようとする課題】
【０００４】
特許文献１には、画像形成部の上方に配置された画像読取部が、装置本体から浮き上がることを防止するために、画像読取部が、高い強度をもって、装置本体に固定される技術が開示されている。このような場合、画像形成部および画像読取部を備える装置本体は、一つの剛体として、床面上に設置される。床面に凹凸があり、設置された装置本体に歪みが生じた場合、画像形成部の上方に配置される画像読取部にも、歪みが生じてしまう。この場合、画像読取部の原稿台の平面度が悪化し、画像読取センサーによって、読み取られる原稿画像にも、歪みが生じてしまう。
【０００５】
本発明は、上記の問題に鑑みてなされたものであり、画像形成装置本体の設置環境などによって、装置本体に歪みが生じた場合であっても、装置本体の上方に配置された画像読取部の原稿台の平面度が悪化することを抑止した画像形成装置を提供することを目的とする。
【課題を解決するための手段】
【０００６】
本発明の一局面に係る画像形成装置は、上面部を備える筐体と、前記筐体内に配設され、シートに画像を形成する画像形成部と、第１の壁と、前記第１の壁とは反対側の第２の壁と、前記第１の壁と前記第２の壁とを連設させる底面と、原稿が載置される原稿台と、を有し、前記筐体の前記上面部に装着され、前記原稿の原稿画像を読み取る画像読取部と、前記画像読取部の前記底面、または、前記筐体の前記上面部に配設され、前記第１の壁に沿う方向に延設される回転軸を備えた軸部と、前記画像読取部の前記底面、または、前記筐体の前記上面部のうち、前記軸部とは異なる方に配設され、前記軸部が挿入され、前記画像読取部が、前記筐体の前記上面部に対して、回動可能とされるように、前記軸部を支持する軸受け部と、前記軸部または前記軸受け部よりも、前記第２の壁に近い側の前記筐体の前記上面部に配置され、前記画像読取部の前記底面に対向して配置される被当接部と、前記軸部または前記軸受け部よりも、前記第２の壁に近い側の前記画像読取部の前記底面に配置され、前記画像読取部の自重によって、前記被当接部に当接する当接部と、前記軸部または前記軸受け部よりも、前記第２の壁に近い側の前記画像読取部の前記底面から、前記筐体の前記上面部に向かって突設され、前記底面に沿う方向に貫通して形成される第１孔部を備える第１突部と、前記軸部または前記軸受け部よりも、前記第２の壁に近い側の前記筐体の前記上面部から、前記画像読取部の前記底面に向かって突設され、前記第１突部と対向して配置され、前記底面に沿う方向に貫通され、前記第１孔部に対向して形成される第２孔部を備える第２突部と、前記軸部または前記軸受け部よりも、前記第２の壁に近い側の前記画像読取部の前記底面から、前記筐体の前記上面部に向かって突設され、前記第１突部との間で前記第２突部を挟むように、前記第１突部と間隔をおいて配置され、前記底面に沿う方向に貫通され、前記第２孔部に対向して形成される第３孔部を備える第３突部と、円柱形状を備え、上下方向における前記第１孔部および前記第２孔部および前記第３孔部の内径よりも小さな外径を備え、前記当接部が前記被当接部に当接した状態で、前記第１孔部および前記第２孔部および前記第３孔部に挿通され、前記画像読取部を前記筐体に固定する固定ピンと、を有することを特徴とする。
【０００７】
本構成によれば、筐体内には、画像形成部が配置される。また、筐体の上面部には、画像読取部が配設される。筐体の上面部および画像読取部の底面の一方には、軸部が配置される。また、筐体の上面部および画像読取部の底面の他方には、軸受け部が配設される。軸受け部に軸部が挿入されることによって、画像読取部の底面の第１の壁側を支点として、画像読取部が筐体の上面部に対して、回動可能に支持される。一方、画像読取部の底面の第２の壁側には、画像読取部の底面に配置される当接部と、筐体の上面部に配置される被当接部が備えられる。当接部は、画像読取部の自重によって、被当接部に当接する。このため、凹凸を備えるような床面上に筐体が設置され、筐体に歪みが生じた場合であっても、画像読取部の第１の壁側を支点として、画像読取部の第２の壁側が上下方向に回動することができる。この際、第２の壁側では、当接部が自重によって、被当接部に当接しているため、筐体に生じた歪みが、直接的に、画像読取部に伝わりにくい。したがって、画像読取部に配置された原稿台の平面度が悪化しにくく、原稿台に載置された原稿の画像の読み取り精度が好適に維持される。また、本構成によれば、画像読取部が筐体に装着され、当接部が被当接部に当接した状態において、固定ピンが、第１突部の第１孔部と第２突部の第２孔部に挿通される。この際、円柱形状からなる固定ピンの外径が、第１孔部および第２孔部の上下方向の内径よりも小さく設定される。このため、第１孔部および第２孔部は、固定ピンが挿通された状態において、上下方向に開口部が余ることとなる。この結果、固定ピンによって、画像読取部が筐体に固定された状態であっても、画像読取部が筐体に対して、上下方向に僅かに移動することができる。したがって、筐体に歪みが生じた場合であっても、画像読取部に、前記歪みが直接的に伝わることが抑止される。更に、本構成によれば、画像読取部が筐体に固定される際に、第１突部および第３突部が、第２突部を挟むように配置される。したがって、第１突部と第２突部が向き合う方向において、画像読取部がずれにくく、画像読取部が安定して筐体に支持される。
【０００８】
上記の構成において、前記軸部は、前記底面または前記上面部の前記第１の壁に沿う方向の一端側に配置され、前記回転軸を備える第１軸部と、前記底面または前記上面部の前記方向の他端側に配置され、前記回転軸を備える第２軸部と、を有し、前記軸受け部は、前記第１軸部が挿入される第１軸受け部と、前記第２軸部が挿入される第２軸受け部と、を有することが好ましい。
【０００９】
本構成によれば、軸部は、底面の第１の壁に沿う方向の一端側と他端側に、それぞれ配置される第１軸部および第２軸部を備える。また、軸受け部は、それぞれ第１軸部および第２軸部が挿入される第１軸受け部および第２軸受け部を備える。このため、画像読取部の底面には、第１の壁に沿って、複数の軸部と軸受け部が配置される。この結果、画像読取部が、筐体に安定して支持される。
【００１０】
上記の構成において、前記被当接部は、前記筐体の前記上面部の前記第１の壁に沿う方向の一端側に配置される第１被当接部と、前記筐体の前記上面部の前記方向の他端側に配置される第２被当接部と、を有し、前記当接部は、前記画像読取部の前記底面の前記方向の一端側に配置され、前記第１被当接部に当接する第１当接部と、前記画像読取部の前記底面の前記方向の他端側に配置され、前記第２被当接部に当接する第２当接部と、を有することが好ましい。
【００１１】
本構成によれば、被当接部は、前記筐体の前記上面部であって、第２の壁に沿う方向の一端側と他端側に、それぞれ配置される第１被当接部および第２被当接部を備える。また、当接部は、前記画像読取部の前記底面に配置され、それぞれ第１被当接部および第２被当接部に当接する第１当接部および第２当接部を備える。このため、画像読取部の底面の第２の壁側において、画像読取部が、筐体に安定して支持される。また、筐体に歪みが生じた場合であっても、第１当接部または第２当接部が、第１被当接部または第２被当接部に当接することで、画像読取部の位置決めが維持される。
【００１６】
上記の構成において、前記画像読取部の前記底面に対向し、前記筐体の前記上面部に配置され、前記画像形成部において画像が形成されたシートが、前記第１の壁から前記第２の壁に向かう方向に排出される排紙部を、更に有することが好ましい。
【００１７】
本構成によれば、筐体の上面部には、シートが第１の壁から第２の壁に向かう方向に排出される排紙部が配置される。排紙部は、画像読取部の底面に対向して配置される。画像形成装置の使用者は、排紙部に排出されたシートを取り出す際に、画像読取部の底面の第２の壁の周辺に触れる場合がある。このような場合であっても、固定ピンが、画像読取部と筐体を固定するため、画像読取部が筐体から離脱することが抑止される。
【００１８】
上記の構成において、前記軸部は、円柱形状からなり、前記回転軸の軸方向に沿って、かつ、前記画像読取部の前記底面と対向する面によって、周面の一部が切り込まれた切り込み部を有し、前記軸受け部は、円筒形状からなり、前記軸部の前記軸方向と直交する断面視で、前記切り込み部によって形成される前記軸部の最小外径部に対応して、上下方向に切り欠かれ、かつ、前記軸部の前記軸方向に沿って配設された切り欠き部を有し、前記切り込み部が前記切り欠き部を通過して、前記軸部が前記軸受け部に嵌合することで、前記画像読取部が、前記筐体に装着されることが好ましい。
【００１９】
本構成によれば、軸部は、切り込み部を備え、軸受け部は、切り欠き部を備える。切り込み部は、軸部の周面の一部が、前記回転軸の軸方向に沿って、前記画像読取部の前記底面と対向する面によって、切り込まれることによって形成される。また、切り欠き部は、前記切り込み部によって形成される軸部の最小外径部に対応して、上下方向に切り欠かれて形成される。このため、画像読取部の底面と筐体の上面部とが交差する姿勢をもって、切り込み部が切り欠き部を通過し、軸部が軸受け部に嵌合される。したがって、画像読取部が筐体に装着され、底面の当接部が、筐体の上面部の被当接部に当接した状態において、軸部が軸受け部から離脱することが抑止される。
【００２０】
上記の構成において、前記当接部が前記被当接部に当接した状態において、前記第１孔部および前記第２孔部と、前記固定ピンとが、すきま嵌めとなるように、前記第１孔部および前記第２孔部の内径と、前記固定ピンの外径とが設定されていることが好ましい。
【００２１】
本構成によれば、固定ピンの外径と、第１孔部および第２孔部の内径とが、すきま嵌めの関係となるように設定されることによって、画像読取部が筐体に固定された状態であっても、画像読取部が筐体に対して、上下方向に僅かに移動することができる。したがって、筐体に歪みが生じた場合であっても、画像読取部に、前記歪みが直接的に伝わることが抑止される。
【発明の効果】
【００２２】
本発明によれば、画像形成装置本体の設置環境などによって、装置本体に歪みが生じた場合であっても、装置本体の上方に配置された画像読取部の原稿台の平面度が悪化することを抑止することが可能となる。特に、装置本体の歪みやねじれが、直接的に、画像読取部に伝わることが抑止されるため、原稿台に載置された原稿の画像が、画像読取部によって、精度良く読み取られる。
【図面の簡単な説明】
【００２３】
【図１】本発明の一実施形態に係る画像形成装置の外観を示す斜視図である。
【図２】本発明の一実施形態に係る画像形成装置の本体部分の内部構造を示す断面図である。
【図３】本発明の一実施形態に係る本体ハウジングを上方から見た斜視図である。
【図４】本発明の一実施形態に係る本体ハウジングを後方から見た斜視図である。
【図５】本発明の一実施形態に係る読取ユニットを下方から見た斜視図である。
【図６】本発明の一実施形態に係る画像形成装置の斜視図である。
【図７】本発明の一実施形態に係る本体ハウジングの軸受部の拡大図である。
【図８】本発明の一実施形態に係る読取ユニット３の軸部の拡大図である。
【図９】本発明の一実施形態に係る本体ハウジングの固定部の拡大図である。
【図１０】本発明の一実施形態に係る固定ピンの斜視図である。
【図１１】本発明と比較される画像形成装置の作用を説明するための模式図である。
【図１２】本発明の一実施形態に係る画像形成装置１の作用を説明するための模式図である。
【発明を実施するための形態】
【００２４】
以下、図面に基づいて、本発明の実施形態につき詳細に説明する。図１は、本発明の一実施形態に係る画像形成装置１の外観を示す斜視図である。また、図２は、画像形成装置１の本体部分の内部構造を示す側断面図である。本体ハウジング１０の上方に読取ユニット３が搭載されることによって、画像形成装置１が組み立てられる。本実施形態では、画像形成装置１は、いわゆる胴内排紙型の画像形成装置に相当する。また、ここでは、画像形成装置１としてモノクロプリンターを例示するが、画像形成装置は、複写機、ファクシミリ装置、或いは、これらの機能を備える複合機であってもよく、またカラー画像を形成する画像形成装置であっても良い。
【００２５】
画像形成装置１は、略直方体形状の筐体構造を有する本体ハウジング１０（筐体）と、この本体ハウジング１０内に収容される給紙部２０、画像形成部３００、定着部４０及びトナーコンテナ５０と、読取ユニット３と、を含む。
【００２６】
本体ハウジング１０の前面側には前カバー１１が、後面側には後カバー１２が各々備えられている。前カバー１１が開放されることで、トナーコンテナ５０が前方に露出する。これにより、ユーザーは、トナー切れの際にトナーコンテナ５０を本体ハウジング１０の前面側から取り出すことができる。後カバー１２は、シートジャムやメンテナンスの際に開放されるカバーである。画像形成部３００及び定着部４０の各ユニットは、後カバー１２が開放されることで、本体ハウジング１０の後面側から取り出し可能となる。また、本体ハウジング１０の側面には、左カバー１２Ｌ（図１）と、左カバー１２Ｌとは反対側の右カバー１２Ｒ（図１には表れていない）とが、それぞれ鉛直方向に延伸するように配設されている。左カバー１２Ｌは、上下に分割可能とされ、カバー上部１２Ｌ１およびカバー下部１２Ｌ２から構成される。カバー下部１２Ｌ２の前側部分には、本体ハウジング１０内に空気を取り込むための吸気口１２Ｌａが配設されている。また、本体ハウジング１０の上面（読取ユニット３の下方）には、画像形成後のシート（定着処理が施されたシート）が排出される排紙部１３が備えられている。前カバー１１と、後カバー１２と、左カバー１２Ｌと、右カバー１２Ｒと、排紙部１３と、によって画定される内部空間Ｓ（図２参照）に、画像形成を実行するための各種装置が内装される。
【００２７】
給紙部２０は、画像形成処理が施されるシートを収容する給紙カセット２１を含む（図２）。この給紙カセット２１は、その一部が本体ハウジング１０の前面からさらに前方に突出している。給紙カセット２１のうち、本体ハウジング１０内に収容されている部分の上面は、給紙カセット天板２１Ｕによって覆われている。給紙カセット２１には、前記シートの束が収容されるシート収容空間、前記シートの束を給紙のためにリフトアップするリフト板等が備えられている。給紙カセット２１の後端側の上部にはシート繰出部２１Ａが設けられている。このシート繰出部２１Ａには、給紙カセット２１内のシート束の最上層のシートを１枚ずつ繰り出すための給紙ローラー２１Ｂが配置されている。
【００２８】
画像形成部３００は、給紙部２０から送り出されるシートにトナー画像を形成する画像形成処理を行う。画像形成部３００は、感光体ドラム３１０（像担持体）と、この感光体ドラム３１０の周囲に配置された、帯電装置３２０、露光装置（図３には表れていない）、現像装置３３０、転写ローラー３４０及びクリーニング装置３５０とを含む。画像形成部３００は、左カバー１２Ｌと右カバー１２Ｒとの間に、配設される。
【００２９】
感光体ドラム３１０は、その軸回りに回転し、その周面に静電潜像及びトナー像が形成される。感光体ドラム３１０としては、アモルファスシリコン（ａ−Ｓｉ）系材料を用いた感光体ドラムを用いることができる。帯電装置３２０は、感光体ドラム３１０の表面を均一に帯電するものであって、感光体ドラム３１０に当接する帯電ローラーを含む。クリーニング装置３５０は、クリーニングブレード等を有し、トナー像転写後の感光体ドラム３１０の周面に付着したトナーを清掃するとともに、不図示の回収装置に該トナーを搬送する。
【００３０】
露光装置は、レーザー光源とミラーやレンズ等の光学系機器とを有し、感光体ドラム３１０の周面に、パーソナルコンピューター等の外部装置から与えられる画像データに基づいて変調された光を照射して、静電潜像を形成する。現像装置３３０は、感光体ドラム３１０上の前記静電潜像を現像してトナー像を形成するために、感光体ドラム３１０の周面にトナーを供給する。現像装置３３０は、感光体ドラム３１０に供給するトナーを担持する現像ローラー３３１と、不図示の現像ハウジングの内部で現像剤を攪拌しながら循環搬送する第１搬送スクリュー３３２及び第２搬送スクリュー３３３とを含む。
【００３１】
転写ローラー３４０は、感光体ドラム３１０の周面に形成されたトナー像をシート上に転写させるためのローラーであって、感光体ドラム３１０と転写ニップ部を形成している。この転写ローラー３４０には、トナーと逆極性の転写バイアスが与えられる。
【００３２】
定着部４０は、転写されたトナー像をシート上に定着する定着処理を行う。定着部４０は、加熱源を内部に備えた定着ローラー４１と、この定着ローラー４１に対して圧接され、定着ローラー４１との間に定着ニップ部を形成する加圧ローラー４２とを含む。トナー像が転写されたシートが前記定着ニップ部に通紙されると、トナー像は、定着ローラー４１による加熱および加圧ローラー４２による押圧により、シート上に定着される。
【００３３】
トナーコンテナ５０は、現像装置３３０に補給するトナーを貯留する。トナーコンテナ５０は、トナーの主な貯留箇所となるコンテナ本体５１と、コンテナ本体５１の一側面の下部から突設された筒状部５２と、コンテナ本体５１の他の側面を覆う蓋部材５３と、コンテナ内部に収容されトナーを搬送する回転部材５４とを含む。トナーコンテナ５０内に貯留されたトナーは、回転部材５４が回転駆動されることによって、筒状部５２の先端下面に設けられたトナー排出口５２１から現像装置３３０内に供給される。また、トナーコンテナ５０は、排紙部１３の下方に位置する（図２参照）。
【００３４】
本体ハウジング１０内には、シートを搬送するために、主搬送路２２Ｆ及び反転搬送路２２Ｂが備えられている。主搬送路２２Ｆは、給紙部２０のシート繰出部２１Ａから画像形成部３００及び定着部４０を経由して、本体ハウジング１０上面の排紙部１３に対向して設けられている排紙口１４まで延びている。反転搬送路２２Ｂは、シートに対して両面印刷を行う場合に、片面印刷されたシートを主搬送路２２Ｆにおける画像形成部３００の上流側に戻すための搬送路である。
【００３５】
主搬送路２２Ｆの、感光体ドラム３１０と転写ローラー３４０との転写ニップ部よりも上流側には、レジストローラー対２３が配置されている。シートは、レジストローラー対２３にて一旦停止され、スキュー矯正が行われた後、画像転写のための所定のタイミングで、前記転写ニップ部に送り出される。主搬送路２２Ｆ及び反転搬送路２２Ｂの適所には、シートを搬送するための搬送ローラーが複数配置されており、例えば排紙口１４の近傍には排紙ローラー対２４が配置されている。
【００３６】
反転搬送路２２Ｂは、反転ユニット２５の外側面と、本体ハウジング１０の後カバー１２の内面との間に形成されている。なお、反転ユニット２５の内側面には転写ローラー３４０及びレジストローラー対２３の一方のローラーが搭載されている。後カバー１２及び反転ユニット２５は、それらの下端に設けられた支点部１２１の軸回りに各々回動可能である。反転搬送路２２Ｂにおいてシートジャムが発生した場合、後カバー１２が開放される。主搬送路２２Ｆでシートジャムが発生した場合、或いは感光体ドラム３１０のユニットや現像装置３３０が外部に取り出される場合には、後カバー１２に加えて反転ユニット２５も開放される。
【００３７】
次に、図３および図４を参照して、本体ハウジング１０の構造について、更に詳述する。図３は、本体ハウジング１０を前方かつ上方から見た斜視図である。図３は、図１において、読取ユニット３、カバー上部１２Ｌ１および画像形成部３００（図２）を取り外した状態を示している。また、図４は、図３の本体ハウジング１０を後方から見た斜視図である。図４は、後カバー１２および及び反転ユニット２５（図２）を取り外した状態を示している。
【００３８】
図３を参照して、本体ハウジング１０は、前カバー１１、後カバー１２、左カバー１２Ｌ、右カバー１２Ｒを取り外すことで露出する本体フレーム１０Ａを備える。本体フレーム１０Ａは、箱形形状を備える画像形成装置１の骨格部分である。本体フレーム１０Ａは、難燃性の樹脂材料から構成される。
【００３９】
本体フレーム１０Ａは、左フレーム１０Ｌおよび右フレーム１０Ｒを備える。左フレーム１０Ｌは、本体フレーム１０Ａの左カバー１２Ｌ側で各種装置を支持する。また、右フレーム１０Ｒは、本体フレーム１０Ａの右カバー１２Ｒ側で各種装置を支持する。左フレーム１０Ｌと右フレーム１０Ｒとによって、左右方向に延伸する画像形成部３００および定着部４０（図２）が支持されている。
【００４０】
左フレーム１０Ｌの上方部分には、左固定フレーム１０Ｌ１が配置される。左固定フレーム１０Ｌ１は、前後方向に延設されるフレームであり、左フレーム１０Ｌと一体的に構成される。また、右フレーム１０Ｒの上方部分には、右固定フレーム１０Ｒ１が配置される。右固定フレーム１０Ｒ１は、前後方向に延設されるフレームであり、右フレーム１０Ｒと一体的に構成される。
【００４１】
左固定フレーム１０Ｌ１の後側部分には、第１軸受部１２３Ａ（軸受け部）が配置される。第１軸受部１２３Ａは、略円筒形状を備える。また、左固定フレーム１０Ｌ１の前側部分には、第１固定部１２３Ｃが配置される。第１固定部１２３Ｃは、第１軸受部１２３Ａよりも、前方に配置される。第１固定部１２３Ｃは、前後方向に延伸される板状部材であり、左右方向に貫通される孔部を備える。
【００４２】
同様に、右固定フレーム１０Ｒ１の後側部分には、第２軸受部１２３Ｂ（軸受け部）が配置される。第２軸受部１２３Ｂは、略円筒形状を備える。また、右固定フレーム１０Ｒ１の前側部分には、第２固定部１２３Ｄが配置される。第２固定部１２３Ｄは、第２軸受部１２３Ｂよりも、前方に配置される。第２固定部１２３Ｄは、前後方向に延伸される板状部材であり、左右方向に貫通される孔部を備える。
【００４３】
第１軸受部１２３Ａ、第２軸受部１２３Ｂ、第１固定部１２３Ｃ、第２固定部１２３Ｄは、本体ハウジング１０に読取ユニット３が装着される際に、接続部として機能する。これらの接続構造については、後記で詳述する。
【００４４】
次に、図１および図５を参照して、読取ユニット３について説明する。読取ユニット３は、本体ハウジング１０の上面部（上方）に装着される。読取ユニット３は、原稿押さえ部３１と、読取部３２とから構成される。読取部３２の前側部分には、操作部３３（図１）が配置される。
【００４５】
原稿押さえ部３１は、読取部３２に対して、上下方向に、開放姿勢と閉止姿勢とをとることができる。すなわち、読取部３２が本体ハウジング１０に固定された状態で、原稿押さえ部３１が、後端に配置された不図示の回動軸を中心に、上方に開放可能とされる。原稿押さえ部３１は、読取部３２上に載置される原稿を上方から押さえる機能を備える。
【００４６】
読取部３２は、読取ユニット３の下方部分に配置される。読取部３２の上面であって、原稿押さえ部３１が対向する位置には、原稿台５５０（図１２参照）が配置される。該原稿台５５０上に、ユーザーによって原稿が載置される。また、読取部３２の内部には、不図示の読取手段が配置される。読取手段には、不図示の光源と、画像読取センサーとが、配置される。光源から前記原稿に光が照射され、その反射光が画像読取センサーにより光電変換され、画像データが電気信号として出力される。該画像データの電気信号が、露光装置に送られ、感光体ドラム３１０に静電潜像が形成される。操作部３３は、読取部３２から前方に突出するように配置される。操作部３３の上面には、ユーザーが操作するための操作パネルや操作ボタンが配置される。
【００４７】
図５を参照して、読取ユニット３の読取部３２は、略矩形形状の底面である下面部３５（底面）と、該下面部３５の四辺から上方に向かって立設される読取部前壁３２Ａ（第２の壁）、読取部左壁３２Ｂ、読取部右壁３２Ｃ、読取部後壁３２Ｄ（第１の壁）と、を備える。下面部３５の中央部分には、下面部３５の一部が下方に隆起して形成された下方隆起部３６が配置される。また、下方隆起部３６の前方には、左右方向に沿って複数のリブが配置される。下方隆起部３６および前記リブは、下面部３５の剛性を高める。
【００４８】
更に、下面部３５の前側部分であって、読取部左壁３２Ｂおよび読取部右壁３２Ｃの近傍には、第１挿入部３５Ｃおよび第２挿入部３５Ｄが配置される。第１挿入部３５Ｃは、一対の突片である第１突片３５１（第１突部）および第２突片３５２（第３突部）を備える。第１突片３５１および第２突片３５２は、下面部３５から、下方に向かって、突設される。第１突片３５１および第２突片３５２は、左右方向に間隔をおいて配置される。第１突片３５１および第２突片３５２には、それぞれ、第１開口部３５３および第２開口部３５４が形成される。第１開口部３５３および第２開口部３５４は、第１突片３５１および第２突片３５２において、左右方向に貫通して形成される孔部である。また、第１突片３５１と第２突片３５２との間には、第１当接部３５Ｘが配置される。第１当接部３５Ｘは、下面部３５と面一に配置される。第１当接部３５Ｘは、後記の本体フレーム１０Ａの左固定フレーム１０Ｌ１の第１被当接部９０Ｃ（図９）に当接する。なお、第２挿入部３５Ｄも、第１挿入部３５Ｃと同様の形状を備える。第２挿入部３５Ｄには、第１挿入部３５Ｃの第１当接部３５Ｘに相当する第２当接部３５Ｙ（図５）が配置される。
【００４９】
また、下面部３５の後端部であって、読取部左壁３２Ｂおよび読取部右壁３２Ｃの内側近傍には、第１軸部３５Ａ（軸部）および第２軸部３５Ｂ（軸部）が配置される。第１軸部３５Ａは、読取部後壁３２Ｄの一端側（左側）に配置され、第２軸部３５Ｂは、読取部後壁３２Ｄの他端側（右側）に配置される。第１軸部３５Ａおよび第２軸部３５Ｂは、それぞれ、読取部後壁３２Ｄに沿って、左右方向の外側に向かって延設される軸形状（回転軸）を備える。なお、前述の第１挿入部３５Ｃおよび第２挿入部３５Ｄは、第１軸部３５Ａおよび第２軸部３５Ｂよりも、読取部前壁３２Ａに近い側の下面部３５に配置される。
【００５０】
次に、図５乃至図１０を参照して、本体ハウジング１０に、読取ユニット３が装着される構造について、詳述する。図６は、画像形成装置１から、前カバー１１、左カバー１２Ｌ、右カバー１２Ｒ、後カバー１２を取り外した状態を示す斜視図である。上記の各カバーが、取り外されることによって、第１軸受部１２３Ａ、第２軸受部１２３Ｂ（図６には現れていない）、第１固定部１２３Ｃ、第２固定部１２３Ｄが、露出する。図７は、本体フレーム１０Ａの第２軸受部１２３Ｂの拡大斜視図であり、図８は、読取ユニット３の第２軸部３５Ｂの拡大斜視図である。また、図９は、本体フレーム１０Ａの第１固定部１２３Ｃの拡大斜視図であり、図１０は、第１固定部１２３Ｃに装着される固定ピン７０の斜視図である。
【００５１】
読取ユニット３の下面部３５に形成された第１軸部３５Ａおよび第２軸部３５Ｂ（図５）は、それぞれ、本体フレーム１０Ａの第１軸受部１２３Ａおよび第２軸受部１２３Ｂ（図４）に嵌めこまれる。また、第１挿入部３５Ｃおよび第２挿入部３５Ｄは、それぞれ、本体フレーム１０Ａの第１固定部１２３Ｃおよび第２固定部１２３Ｄに嵌めこまれ、後述の固定ピン７０（図１０）が装着される。この結果、図６に示すように、読取ユニット３が本体フレーム１０Ａに装着される。
【００５２】
図７を参照して、第２軸受部１２３Ｂは、軸受支持部８１を備える。軸受支持部８１は、右固定フレーム１０Ｒ１（図４、図６）の後側端部から、後方に向かって突設される。軸受支持部８１は、軸受内壁８１１を備える。軸受内壁８１１は、左方向に面した壁部である。また、軸受支持部８１は、内筒部８２と、一対の切欠き面８３とを備える。内筒部８２は、該軸受内壁８１１の中央部分から、右方向に向かって形成された軸受け穴である。切欠き面８３は、内筒部８２の上方部分が、上方に向かって切り欠かれることによって形成された一対の壁部である。一対の切欠き面８３によって、切欠き部８４が形成される。切欠き部８４によって、軸受支持部８１の上方空間と内筒部８２とが連通される。
【００５３】
図８を参照して、第２軸部３５Ｂは、軸支持部８５と、軸部８６と、を備える。軸支持部８５は、読取部３２の下面部３５から、下方に向かって突設される突片である。軸支持部８５は、支持外面部８５１を備える。支持外面部８５１は、軸支持部８５の右方向に面する壁部分である。軸部８６は、支持外面部８５１の下方部分から右方向に向かって突設される。軸部８６は、第１外周部８６１、平面部８６２（切り込み部）、第２外周部８６３を備える。第１外周部８６１および第２外周部８６３は、左右方向に延伸される回転軸を中心に、互いに反対側に位置する周面である。平面部８６２は、第１外周部８６１および第２外周部８６３の下端部を連設させる平面部である。換言すれば、第１外周部８６１および第２外周部８６３を周面の一部とする円筒面の下端部が、読取部３２の下面部３５と対向する面によって、切り込まれることによって、平面部８６２が形成される。
【００５４】
上記のように、第２軸部３５Ｂは、円柱形状からなり、軸部８６の軸方向に沿って、かつ、下面部３５と対向する面によって、軸部８６の周面の一部が切り込まれた平面部８６２を有する。一方、第２軸受部１２３Ｂは、円筒形状からなり、第２軸部３５Ｂの軸部８６の軸方向と直交する断面視で、平面部８６２によって形成される軸部８６の最小外径部に対応して、上下方向に切り欠かれ、かつ、軸部８６の軸方向に沿って配設された切欠き部８４を有する。
【００５５】
図９を参照して、第１固定部１２３Ｃは、固定片９０（第２突部）を備える。固定片９０は、左固定フレーム１０Ｌ１の前側端部に配置される。固定片９０は、前後方向に延設される板状部材であって、左固定フレーム１０Ｌ１の左右方向の幅の略中央部に配置される。固定片９０の上端には、第１被当接部９０Ｃが配置される。第１被当接部９０Ｃは、固定片９０の上面部であって、読取ユニット３を支持する機能を備える。なお、第２固定部１２３Ｄにも、第１固定部１２３Ｃの第１被当接部９０Ｃに相当する第２被当接部９０Ｄ（図３）が、同様に配置される。
【００５６】
また、固定片９０は、内周部９１と、挿入壁９２と、を備える。内周部９１は、固定片９０の略中央部において、左右方向に延設される内壁である。該内周部９１によって、固定片９０を左右方向に貫通する孔部９０Ａが形成される。また、内周部９１の上方には、挿入壁９２が連設される。挿入壁９２は、内周部９１の上端側に連設される一対の壁部である。孔部９０Ａの上端側が、挿入壁９２によって上方に開放されることで、挿入部９０Ｂが、形成される。孔部９０Ａおよび挿入部９０Ｂによって、後記の固定ピン７０が挿通される鍵穴形状が形成される。
【００５７】
図１０を参照して、固定ピン７０は、略円柱形状の固定用器具である。固定ピン７０は、本体フレーム１０Ａに読取ユニット３が装着される際に、第１固定部１２３Ｃおよび第１挿入部３５Ｃに挿通される。また、固定ピン７０は、本体フレーム１０Ａに読取ユニット３が装着される際に、第２固定部１２３Ｄおよび第２挿入部３５Ｄに挿通される。固定ピン７０は、ピン本体部７０１と、係合片７０２と、ピン把持部７０３とを備える。
【００５８】
ピン本体部７０１は、固定ピン７０の本体部分であって、略円柱形状からなる。係合片７０２は、ピン本体部７０１の先端側の本体先端部７０１Ａから、ピン本体部７０１の径方向に向かって突設される突片である。
【００５９】
ピン把持部７０３は、ピン本体部７０１の本体先端部７０１Ａの反対側の本体基端部７０１Ｂから、ピン本体部７０１の径方向に向かって突設される。ピン把持部７０３は、ピン本体部７０１の周方向において、係合片７０２と反対側に配置される。ピン把持部７０３は、固定ピン７０が、第１固定部１２３Ｃおよび第１挿入部３５Ｃに挿通される際に、組立作業者よって把持される。ピン把持部７０３の先端部には、把持先端部７０４、把持支持片７０５が配置される。把持先端部７０４は、ピン把持部７０３の先端側が、本体先端部７０１Ａ側に屈曲されることで形成される。把持支持片７０５は、ピン把持部７０３および把持先端部７０４の交差部に配置される。把持支持片７０５は、ピン把持部７０３および把持先端部７０４を補強するリブ部材である。
【００６０】
なお、第１軸受部１２３Ａおよび第１軸部３５Ａも、上記第２軸受部１２３Ｂおよび第２軸部３５Ｂと同様の形状および構造を備える。以下、引き続いて、第２軸受部１２３Ｂおよび第２軸部３５Ｂを用いて、読取ユニット３および本体フレーム１０Ａの組立について説明する。
【００６１】
本体フレーム１０Ａに読取ユニット３が装着されるに際し、図８の読取ユニット３の第２軸部３５Ｂが、矢印Ｄ８方向に向かって、本体フレーム１０Ａの軸受支持部８１の切欠き部８４に挿入される（図７）。すなわち、本体フレーム１０Ａに装着される際、組立作業者は、読取ユニット３の後端側を下方に、読取ユニット３の前端側を上方に傾けた姿勢で、読取ユニット３を本体フレーム１０Ａに装着する。第２軸部３５Ｂの軸部８６が、第２軸受部１２３Ｂの内筒部８２に挿入されると、組立作業者は、読取ユニット３の前端側を下方に移動させる。この際、第２軸部３５Ｂの軸部８６が、第２軸受部１２３Ｂの軸受支持部８１内で回転される。なお、該回転によって、第２軸受部１２３Ｂの切欠き部８４から、第２軸部３５Ｂの第２外周部８６３が周方向に退避される。したがって、読取ユニット３が、本体フレーム１０Ａに装着された状態で、第２軸受部１２３Ｂから、軸部８６が、離脱することが抑止される。
【００６２】
第２軸部３５Ｂを中心に、読取ユニット３が回動され、読取ユニット３の前端部が下方に移動されると、第１挿入部３５Ｃ（図５）が、左固定フレーム１０Ｌ１の第１固定部１２３Ｃに装着される。より詳しくは、第１挿入部３５Ｃの第１突片３５１および第２突片３５２が、第１固定部１２３Ｃの固定片９０を左右方向において挟み込むように、第１挿入部３５Ｃが第１固定部１２３Ｃに装着される（図９の矢印Ｄ９１、９２）。この際、第１挿入部３５Ｃの第１突片３５１と第２突片３５２の間に配置される第１当接部３５Ｘが、固定片９０の上面である第１被当接部９０Ｃ当接する。同様に、第２挿入部３５Ｄの第２当接部３５Ｙ（図５）が、第２固定部１２３Ｄの第２被当接部９０Ｄ（図３）に、当接する。
【００６３】
このように、本実施形態では、読取ユニット３の後端側では、読取ユニット３の第１軸部３５Ａおよび第２軸部３５Ｂが、それぞれ、本体フレーム１０Ａの第１軸受部１２３Ａおよび第２軸受部１２３Ｂによって支持されている。そして、読取ユニット３の前端側では、読取ユニット３の第１当接部３５Ｘおよび第２当接部３５Ｙが、本体フレーム１０Ａの第１被当接部９０Ｃおよび第２被当接部９０Ｄに支持されている。換言すれば、読取ユニット３の第１当接部３５Ｘおよび第２当接部３５Ｙは、読取ユニット３の自重によって、本体フレーム１０Ａの第１被当接部９０Ｃおよび第２被当接部９０Ｄに当接している。
【００６４】
なお、読取ユニット３の第１当接部３５Ｘおよび第２当接部３５Ｙは、同時に、本体フレーム１０Ａの第１被当接部９０Ｃおよび第２被当接部９０Ｄに当接可能とされるが、読取ユニット３および本体フレーム１０Ａを構成する各部材の公差によっては、第１当接部３５Ｘおよび第２当接部３５Ｙの一方のみが、第１被当接部９０Ｃまたは第２被当接部９０Ｄに当接する場合がある。この場合、第１当接部３５Ｘおよび第２当接部３５Ｙの他方は、僅かな隙間をもって、第１被当接部９０Ｃまたは第２被当接部９０Ｄから離間される。この場合であっても、読取ユニット３は、第１軸部３５Ａおよび第２軸部３５Ｂの２点に、第１当接部３５Ｘまたは第２当接部３５Ｙの１点を加えた計３点の支持点もって、本体フレーム１０Ａに支持される。
【００６５】
図５および図９を参照して、第１当接部３５Ｘが、第１被当接部９０Ｃに当接されると、第１挿入部３５Ｃの第１開口部３５３および第２開口部３５４が、第１固定部１２３Ｃの孔部９０Ａに対向して配置される。この結果、第１開口部３５３、孔部９０Ａ、第２開口部３５４の順に、３つの開口が隣接して配置される。なお、第１開口部３５３および第２開口部３５４は、固定片９０の孔部９０Ａおよび挿入部９０Ｂの上下方向の高さを足した高さよりも、大きな高さをもって開口されている。組立作業者は、第１固定部１２３Ｃの左方から、前記３つの開口の中に、図１０の固定ピン７０を挿通する。この際、固定ピン７０の係合片７０２が、固定片９０の挿入部９０Ｂを通過するように、固定ピン７０が挿通される。
【００６６】
係合片７０２が、第２開口部３５４を通過した後、組立作業者によって、固定ピン７０が、ピン本体部７０１の周方向に回転される。この結果、固定ピン７０の把持支持片７０５が、第１突片３５１の左側側面に摺擦され、固定ピン７０の係合片７０２が、第２突片３５２の右側側面に摺擦される。かくして、固定ピン７０によって、第１挿入部３５Ｃおよび第１固定部１２３Ｃが、ロックされる。本実施形態では、特に、本体フレーム１０Ａに読取ユニット３が装着された状態において、読取ユニット３の下方には、排紙部１３が配置される（図１、図２）。このため、画像形成装置１の使用者が、排紙部１３に排出されたシートを取り出す際に、前記使用者が、読取ユニット３の読取部３２の下面部３５に触れる可能性がある。このような場合であっても、固定ピン７０が、読取ユニット３と本体フレーム１０Ａとを固定することによって、読取ユニット３が本体フレーム１０Ａから離脱することが抑止される。
【００６７】
なお、固定ピン７０が、第１挿入部３５Ｃおよび第１固定部１２３Ｃに装着された状態において、第１開口部３５３および第２開口部３５４は、固定ピン７０よりも下方に、余った開口部分を備えている。換言すれば、第１開口部３５３および第２開口部３５４と、固定ピン７０とは、すきま嵌めとなるように設定されている。このため、読取ユニット３の前端側が、自重によって、本体フレーム１０Ａに当接している状態で、読取ユニット３の前端側が、上方に持ち上げられた場合、前記余った開口部分の分だけ、読取ユニット３は、上方に移動可能とされる。固定ピン７０が、読取ユニット３および本体フレーム１０Ａを固定した状態であっても、このすきま嵌めによって、以下の作用が発現される。
【００６８】
次に、図１１および図１２を参照して、本実施形態に係る画像形成装置１の作用について、説明する。図１１は、本実施形態と比較される画像形成装置の作用を説明するための模式図であり、図１２は、本実施形態に係る画像形成装置１の作用を説明するための模式図である。
【００６９】
図１１を参照して、本実施形態と比較される画像形成装置では、本体ハウジング１０Ｇの上方に読取部３２Ｇが装着される。読取部３２Ｇは、本体ハウジング１０Ｇの前後左右の４点において、ネジなどで締結されており、読取部３２Ｇおよび本体ハウジング１０Ｇは、一体的に、ひとつの剛体として、床面に設置される。読取部３２Ｇの上面には、原稿が載置される原稿台５５０Ｇが配置される。
【００７０】
この状態において、本体ハウジング１０Ｇが凹凸を備える床面上に設置され、本体ハウジング１０Ｇに歪みが生じたと仮定する。たとえば、本体ハウジング１０Ｇの下端面を構成するうちの一角Ｐ１が、矢印Ｄ１１Ａに示すように、上方に移動される。この結果、読取部３２Ｇの下端面を構成する一角Ｐ２、および、読取部３２の上端面を構成する一角Ｐ３が、Ｐ１に連動して、上方に移動される（矢印Ｄ１１Ｂ）。この結果、原稿台５５０Ｇの平面度が悪化する。そして、原稿台５５０Ｇに載置された原稿もゆがみ、不図示の読み取り装置によって、読み取られた読み取り画像にも、同様の歪みが生じることとなる。このように、本体ハウジング１０Ｇおよび読取部３２Ｇが、一体的に、一つの剛体として、固定されると、本体ハウジング１０Ｇの歪みが、読取部３２Ｇの読み取り画像に、欠陥をもたらしてしまう。
【００７１】
これに対して、図１２に示される、本実施形態に係る画像形成装置１では、本体ハウジング１０に生じた歪みによって、読み取り画像に欠陥がもたらされることが抑止される。図１２を参照して、前述のように、本体ハウジング１０の上に、読取部３２（読取ユニット３）が装着されている。この際、読取部３２は、後端側の第１軸受部１２３Ａおよび第２軸受部１２３Ｂにおいて、回動可能に支持されている。読取部３２の前端側は、それぞれ、第１挿入部３５Ｃ（第１当接部３５Ｘ）および第２挿入部３５Ｄ（第２当接部３５Ｙ）に相当する点Ｑ４、点Ｑ２において、本体ハウジング１０（本体フレーム１０Ａ）に支持されている。
【００７２】
本体ハウジング１０に歪みが生じ、本体ハウジング１０の下端面の点Ｑ１が上方に移動されたとする。そして、本体ハウジング１０の歪みが、読取部３２に伝達され、読取部３２の下端面の点Ｑ２が上方に移動される（矢印Ｄ１２Ｂ）。この際、読取部３２では、第１軸受部１２３Ａおよび第２軸受部１２３Ｂにおける回動にしたがって、矢印Ｄ１２Ｄ、Ｄ１２Ｃのように、読取部３２の前端側が上方に僅かに移動される。すなわち、点Ｑ２に伝達された本体ハウジング１０の歪みは、読取部３２の上端面の点Ｑ５および点Ｑ３を同時に、上方に移動させる。
【００７３】
この結果、読取部３２の上面に配置された原稿台５５０は、前端縁が上方に僅かに移動するのみで、原稿台５５０の平面度の悪化は抑止される。このように、本実施形態に係る画像形成装置１では、本体ハウジング１０に生じた歪みが、読取部３２に伝達されるにあたり、読取部３２の上面に配置される原稿台５５０の平面度を悪化させることが抑制される。したがって、原稿台５５０に載置された原稿の読み取り画像に、欠陥がもたらされることが抑止される。また、本実施形態では、読取部３２の一角に集中して外力が加わることがないため、読取部３２の内部に配置された不図示の読み取り光源や画像読取センサーに、ねじれを伴う外力が付与されることが低減される。
【００７４】
以上、本発明の実施形態に係る画像形成装置１について説明したが、本発明はこれに限定されるものではなく、例えば次のような変形実施形態を取ることができる。
【００７５】
（１）上記の実施形態では、読取ユニット３の前端側に配置された第１挿入部３５Ｃ、第２挿入部３５Ｄが、本体フレーム１０Ａの第１固定部１２３Ｃ、第２固定部１２３Ｄに固定される態様にて説明したが、本発明はこれに限定されるものではない。すなわち、読取ユニット３は、固定ピン７０を備えず、第１当接部３５Ｘおよび第２当接部３５Ｙが、本体フレーム１０Ａの第１被当接部９０Ｃおよび第２被当接部９０Ｄに、読取ユニット３の自重によって、当接される構成であってもよい。また、読取ユニット３が本体フレーム１０Ａにロックされる構成は、上記の態様に限られるものではなく、画像形成装置１は、他のロック機構を備えるものであっても良い。
【００７６】
（２）上記の実施形態では、読取ユニット３の後端側に、軸部としての第１軸部３５Ａおよび第２軸部３５Ｂが配置される態様にて説明したが、本発明は、これに限定されるものではない。すなわち、読取ユニット３の下面部３５のうちの、いずれかの一辺に沿って、回動可能とされる軸部が配置され、該一辺と反対側の他辺側において、読取ユニット３が本体フレーム１０Ａに自重によって当接する態様であってもよい。
【００７７】
（３）上記の実施形態では、第１軸部３５Ａおよび第２軸部３５Ｂが、読取部３２の下面部３５に配置され、第１軸受部１２３Ａおよび第２軸受部１２３Ｂが、本体フレーム１０Ａに配置される構成にて説明したが、本発明はこれに限定されるものではない。第１軸部３５Ａおよび第２軸部３５Ｂが、本体フレーム１０Ａの左固定フレーム１０Ｌ１および右固定フレーム１０Ｒ１に配置され、第１軸受部１２３Ａおよび第２軸受部１２３Ｂが、読取部３２の下面部３５に配置される態様であってもよい。
【符号の説明】
【００７８】
１  画像形成装置
１０  本体ハウジング（筐体）
１０Ａ  本体フレーム
１０Ｌ  左フレーム
１０Ｌ１  左固定フレーム
１０Ｒ１  右固定フレーム
１０Ｒ  右フレーム
１１  前カバー
１２  後カバー
１２３Ａ  第１軸受部（軸受け部）
１２３Ｂ  第２軸受部（軸受け部）
１２３Ｃ  第１固定部
１２３Ｄ  第２固定部
１２Ｌ  左カバー
１２Ｌ１  カバー上部
１２Ｌ２  カバー下部
１２Ｌａ  吸気口
１２Ｒ  右カバー
１３  排紙部
２１  給紙部
２４  排紙ローラー対
３  読取ユニット
３１  原稿押さえ部
３１０  感光体ドラム
３２  読取部（画像読取部）
３３  操作部
３２Ａ  読取部前壁（第２の壁）
３２Ｂ  読取部左壁
３２Ｃ  読取部右壁
３２Ｄ  読取部後壁（第１の壁）
３５  下面部（底面）
３５１  第１突片（第１突部）
３５２  第２突片（第３突部）
３５３  第１開口部（第１孔部）
３５４  第２開口部（第３孔部）
３５Ａ  第１軸部
３５Ｂ  第２軸部
３５Ｃ  第１挿入部
３５Ｄ  第２挿入部
３５Ｘ  第１当接部（当接部）
３５Ｙ  第２当接部（当接部）
３６  下方隆起部
３７  リブ
４０  定着部
５５０  原稿台
７０  固定ピン
７０１  ピン本体部
７０１Ａ  本体先端部
７０１Ｂ  本体基端部
７０２  係合片
７０３  ピン把持部
７０４  把持先端部
７０５  把持支持片
８１  軸受支持部
８１１  軸受内壁
８２  内筒部
８３  切欠き面
８４  切欠き部（切り欠き部）
８５  軸支持部
８５１  支持外面部
８６  軸部
８６１  第１外周部
８６２  平面部（切り込み部）
８６３  第２外周部
９０  固定片（第２突部）
９０Ａ  孔部（第２孔部）
９０Ｂ  挿入部
９０Ｃ  第１被当接部（被当接部）
９０Ｄ  第２被当接部（被当接部）
９１  内周部
９２  挿入壁
【図１】
0005663514.tif 000002
【図２】
0005663514.tif 000003
【図３】
0005663514.tif 000004
【図４】
0005663514.tif 000005
【図５】
0005663514.tif 000006
【図６】
0005663514.tif 000007
【図７】
0005663514.tif 000008
【図８】
0005663514.tif 000009
【図９】
0005663514.tif 000010
【図１０】
0005663514.tif 000011
【図１１】
0005663514.tif 000012
【図１２】
0005663514.tif 000013